(57)【要約】【課題】電磁誘導により光源に給電可能なように構成することにより、感電又は漏電に対する安全性を向上することができる照明装置を提供する。【解決手段】電源部１と、電源部１からの電力の供給により点灯する光源２４を有する発光部２とを備える照明装置１００において、電源部１は１次側コイル１５を備えており、発光部２は、１次側コイル１５との間で電磁誘導する２次側コイル２１を備え、電源部２に着脱可能に取付けてあり、１次側コイル１５及び２次側コイル２１間の電磁誘導により電源部１から発光部２へ給電可能なように構成してある。電源部１に設けた１次側コイル１５と、発光部２に設けた２次側コイル２１との間の電磁誘導により電源部１から発光部２へ無接点にて給電可能なように構成してあるから、例えば、水滴が付着した場合にも感電又は漏電に対する安全性を向上することが可能となる。【選択図】図１
2010182499.tif 000002
【特許請求の範囲】
【請求項１】
電源部と、該電源部からの電力の供給により点灯する光源を有する発光部とを備える照明装置において、
前記電源部は１次側コイルを備えており、
前記発光部は、前記１次側コイルとの間で電磁誘導する２次側コイルを備え、前記電源部に着脱可能に取付けてあり、
前記１次側コイル及び２次側コイル間の電磁誘導により前記電源部から前記発光部へ給電可能なように構成してあることを特徴とする照明装置。
【請求項２】
前記発光部は前記電源部に電気的に絶縁させて取付けてあることを特徴とする請求項１に記載の照明装置。
【請求項３】
前記発光部は、電気的絶縁材料製の筐体の内部に前記光源及び２次側コイルを収容してなることを特徴とする請求項２に記載の照明装置。
【請求項４】
前記発光部は、該発光部の前記電源部への取付状態を示す信号を前記電源部に送信する送信部を備え、
前記電源部は、前記送信部からの信号を受信する受信部と、受信した信号に応じて前記１次側コイルへの給電を制御する制御部とを備えていることを特徴とする請求項１から３の何れか一つに記載の照明装置。
【請求項５】
前記電源部は、前記１次側コイルに接続された発振回路部を備えており、前記制御部は、前記発光部が取外してあるときに前記発振回路部の発振動作を間欠的に行わせるように構成してあることを特徴とする請求項４に記載の照明装置。
【請求項６】
前記送信部及び受信部は電気的に絶縁してあることを特徴とする請求項４または５に記載の照明装置。
【請求項７】
前記発光部の前記電源部への取付状態に応じて警告を発する手段を備えていることを特徴とする請求項１から６の何れか一つに記載の照明装置。
【請求項８】
前記電源部は、外部からの調光信号を前記発光部に送信する調光信号送信部を備え、前記発光部は、前記調光信号送信部からの調光信号を受信する調光信号受信部と、受信した調光信号に応じて前記光源の発光強度を制御する光源制御部とを備えていることを特徴とする請求項１から７の何れか一つに記載の照明装置。
【請求項９】
前記光源制御部は、受信した調光信号に応じた電流値の電流を前記光源に供給することにより、該光源の発光強度を制御するように構成してあることを特徴とする請求項８に記載の照明装置。
【請求項１０】
前記光源制御部は、受信した調光信号に応じたパルス状の電流を前記光源に供給することにより、該光源の発光強度を制御するように構成してあることを特徴とする請求項９に記載の照明装置。
【請求項１１】
前記調光信号送信部及び調光信号受信部は電気的に絶縁してあることを特徴とする請求項８から１０の何れか一つに記載の照明装置。
【請求項１２】
前記送信部及び受信部と、前記調光信号送信部及び調光信号受信部とを離隔して設けてあることを特徴とする請求項８から１１の何れか一つに記載の照明装置。
【請求項１３】
前記光源は、発光ダイオードであることを特徴とする請求項１から１２の何れか一つに記載の照明装置。
【発明の詳細な説明】
【技術分野】
【０００１】
本発明は、電源部と、該電源部からの電力の供給により点灯する光源を有する発光部とを備える照明装置に関する。
【背景技術】
【０００２】
近年、発光ダイオード（以下、ＬＥＤと称する）の高輝度化に伴い、白熱電球等の従来の光源に代えて、低消費電力、長寿命等の特性を有するＬＥＤを光源とする照明装置が様々な用途向けに開発されている。そして、商業店舗又はオフィス用途向けの照明装置においては、ＬＥＤ電球、ＬＥＤダウンライト等の照明装置が既に商品として採用されている。
【０００３】
ＬＥＤ電球として、例えば、従来の白熱電球の外見をそのまま維持しつつ、いわゆるグローブの内部にＬＥＤを設けることにより、従来の白熱電球との互換性を高めるように構成してあるＬＥＤ電球が種々提案されている（例えば、特許文献１参照）。
【０００４】
特許文献１に開示されたＬＥＤ照明灯は、光源としてのＬＥＤと、該ＬＥＤを点灯制御するための点灯制御回路（ＬＥＤに電力を供給する電源回路を含む）を有する回路基板と、ＬＥＤの光出射側を覆い、該ＬＥＤからの光を透過するカバー体と、該カバー体に取付けられ、商用電源が給電される既存の白熱電球用のソケットに取付け可能な口金を有するソケット体とを備えている。このＬＥＤ照明灯は、既存の白熱電球用のソケットに口金を螺合することにより容易に既存の白熱電球に代えて取付けて用いることができるという利便性がある。
【先行技術文献】
【特許文献】
【０００５】
【特許文献１】特開２００６−３１００５７号公報
【発明の概要】
【発明が解決しようとする課題】
【０００６】
しかしながら、光源が商用電源（例えば１００Ｖ又は２００Ｖ）の側と電気的に絶縁されていないため、不具合により光源が露出した場合に、１００Ｖ又は２００Ｖの電圧が印加され、感電する虞があった。また、特許文献１に係るＬＥＤ照明灯においては、光源を交換する場合に、ＬＥＤ照明灯全体を取外す必要がある。このため、電源スイッチがオンである状態のままＬＥＤ照明灯を取外した場合、白熱電球用のソケットの１００Ｖ又は２００Ｖの接点が露出することになり、感電する虞があった。また、前記ＬＥＤ照明灯を浴室などの高湿度の環境下、軒下などの水滴がかかる環境下にて用いる場合、水滴が付着したときに感電、漏電を防止すべく、防湿処理を施す、又は防水パッキンを設ける等の対策を施す必要がある。
【０００７】
本発明は斯かる事情に鑑みてなされたものであり、電磁誘導により光源に給電可能なように構成することにより、感電又は漏電に対する安全性を向上することができる照明装置を提供することを目的とする。
【課題を解決するための手段】
【０００８】
本発明に係る照明装置は、電源部と、該電源部からの電力の供給により点灯する光源を有する発光部とを備える照明装置において、前記電源部は１次側コイルを備えており、前記発光部は、前記１次側コイルとの間で電磁誘導する２次側コイルを備え、前記電源部に着脱可能に取付けてあり、前記１次側コイル及び２次側コイル間の電磁誘導により前記電源部から前記発光部へ給電可能なように構成してあることを特徴とする。
【０００９】
本発明にあっては、電源部に設けた１次側コイルと、発光部に設けた２次側コイルとの間の電磁誘導により電源部から発光部へ給電可能なように構成してある。発光部及び電源部を適切に構成することにより、例えば発光部が破損した場合、発光部に水滴が付着した場合にも感電又は漏電に対する安全性を向上することが可能となる。
【００１０】
本発明に係る照明装置は、前記発光部は前記電源部に電気的に絶縁させて取付けてあることを特徴とする。
【００１１】
本発明にあっては、発光部を電源部に電気的に絶縁させて取付けてあるから、例えば発光部が破損した場合、水滴が付着した場合にも電源部に接続された商用電源等の交流電源の電圧下での感電又は漏電を防止することができ、安全性を向上することができる。
【００１２】
本発明に係る照明装置は、前記発光部は、電気的絶縁材料製の筐体の内部に前記光源及び２次側コイルを収容してなることを特徴とする。
【００１３】
本発明にあっては、光源及び２次側コイルを内部に収容する電気的絶縁材料製の筐体を発光部が備えているから、発光部の内部回路を完全に封止することができ、水滴が付着した場合に、感電又は漏電を防止することができ、さらに安全性を高めることができる。
【００１４】
本発明に係る照明装置は、前記発光部は、該発光部の前記電源部への取付状態を示す信号を前記電源部に送信する送信部を備え、前記電源部は、前記送信部からの信号を受信する受信部と、受信した信号に応じて前記１次側コイルへの給電を制御する制御部とを備えていることを特徴とする。
【００１５】
本発明にあっては、発光部の電源部への取付状態を示す信号に応じて、１次側コイルへの給電を制御するように構成している。例えば、発光部が取外してある場合、１次側コイルへの給電を停止又は間欠的に行うように構成することにより、電源部の消費電力を低減することが可能となる。
【００１６】
本発明に係る照明装置は、前記電源部は、前記１次側コイルに接続された発振回路部を備えており、前記制御部は、前記発光部が取外してあるときに前記発振回路部の発振動作を間欠的に行わせるように構成してあることを特徴とする。
【００１７】
本発明にあっては、発光部が取外してあるときに発振回路部の発振動作を間欠的に行わせるように構成してあるから、１次側コイルへの給電発振が間欠的となり、電源部の消費電力を低減することができる。この状態において発光部が取付けられたとき、間欠的であるが発振回路部が発振動作を行っているから、制御部は取付状態を示す信号から発光部が取付けられていると判定することができ、通常の点灯状態に自動的に復帰することができる。
【００１８】
本発明に係る照明装置は、前記送信部及び受信部は電気的に絶縁してあることを特徴とする。
【００１９】
送信部と受信部とを電気的に絶縁してあるから、感電又は漏電に対する安全性をさらに向上することができる。
【００２０】
本発明に係る照明装置は、前記発光部の前記電源部への取付状態に応じて警告を発する手段を備えていることを特徴とする。
【００２１】
本発明にあっては、発光部の電源部への取付状態に応じて警告を発する手段を備えているから、発光部が取外してある、又は電源部から外れかけている場合に、使用者に警告を発するように構成することにより、使用者の利便に資すると共に、電源部の消費電力を低減することが可能となる。
【００２２】
本発明に係る照明装置は、前記電源部は、外部からの調光信号を前記発光部に送信する調光信号送信部を備え、前記発光部は、前記調光信号送信部からの調光信号を受信する調光信号受信部と、受信した調光信号に応じて前記光源の発光強度を制御する光源制御部とを備えていることを特徴とする。
【００２３】
本発明にあっては、外部からの調光信号を調光信号送信部及び調光信号受信部を用いて電源部から発光部に伝達して、伝達された調光信号に応じて光源の発光強度を制御するように構成してある。この構成により、調光制御にも対応する感電又は漏電に対する安全性の高い照明装置を提供することが可能となる。
【００２４】
本発明に係る照明装置は、前記光源制御部は、受信した調光信号に応じた電流値の電流を前記光源に供給することにより、該光源の発光強度を制御するように構成してあることを特徴とする。
【００２５】
本発明にあっては、受信した調光信号に応じた電流値の電流を光源に供給することにより光源の発光強度を制御するように構成してあるから、連続的に電流値を変化させてきめ細かく発光強度を変更することができる。
【００２６】
本発明に係る照明装置は、前記光源制御部は、受信した調光信号に応じたパルス状の電流を前記光源に供給することにより、該光源の発光強度を制御するように構成してあることを特徴とする。
【００２７】
本発明にあっては、受信した調光信号に応じたパルス状の電流を光源に供給することにより光源の発光強度を制御するように構成してあるから、同一色の光源の光色を一定に保ちつつ発光強度を変化させることができる。
【００２８】
本発明に係る照明装置は、前記調光信号送信部及び調光信号受信部は電気的に絶縁してあることを特徴とする。
【００２９】
本発明にあっては、調光信号送信部と調光信号受信部とを電気的に絶縁してあるから、感電又は漏電に対する安全性をさらに向上することができる。
【００３０】
本発明に係る照明装置は、前記送信部及び受信部と、前記調光信号送信部及び調光信号受信部とを離隔して設けてあることを特徴とする。
【００３１】
本発明にあっては、送信部及び受信部と調光信号送信部及び調光信号受信部とを離隔して設けているから、誤動作を回避して安定して動作する照明装置を提供することができる。
【００３２】
本発明に係る照明装置は、前記光源は、発光ダイオードであることを特徴とする。
【００３３】
本発明にあっては、発光ダイオードを光源として用いているから、発光強度を変更することにより、照度及び／又は相関色温度を変更する調光制御をきめ細かく行うことができる。
【発明の効果】
【００３４】
本発明によれば、電磁誘導により光源に給電可能なように構成することにより、感電又は漏電に対する安全性を向上することができる。
【図面の簡単な説明】
【００３５】
【図１】本発明の実施の形態１に係る照明装置の概略構成を示すブロック図である。
【図２】本発明の実施の形態２に係る照明装置の概略構成を示すブロック図である。
【図３】本発明の実施の形態３に係る照明装置の概略構成を示すブロック図である。
【図４】本発明の実施の形態４に係る照明装置の概略構成を示すブロック図である。
【図５】ＬＥＤダウンライトの模式的縦断面図である。
【図６】ＬＥＤダウンライトの模式的分解斜視図である。
【図７】ＬＥＤ電球の模式的縦断面図である。
【図８】ＬＥＤ電球の模式的分解斜視図である。
【発明を実施するための形態】
【００３６】
以下、本発明をその実施の形態を示す図面に基づいて詳述する。
（実施の形態１）
図１は、本発明の実施の形態１に係る照明装置１００の概略構成を示すブロック図である。実施の形態１に係る照明装置１００は、商用電源等の交流電源に接続されるべき電源部１と、該電源部１からの電力の供給により点灯する発光部２とを備えてなる。
【００３７】
電源部１は、交流電流に含まれるノイズを除去するノイズフィルタ回路部１１を備えている。ノイズフィルタ回路部１１の一端には、１００Ｖの商用電源が接続してあり、他端には、整流回路部１２の一端が接続してある。ノイズフィルタ回路部１１は、商用電源から供給される交流電流に含まれる例えば高周波の波長成分であるノイズを除去する。整流回路部１２は、ノイズフィルタ回路部１１によりノイズが除去された交流電流の全波整流及び平滑化を行う。
【００３８】
整流回路部１２の他端には、発振回路部１３及び制御部１４の一端が夫々接続してあり、発振回路部１３及び制御部１４には、整流回路部１２により整流及び平滑化された電流が夫々供給される。発振回路部１３には、１次側コイル１５が接続してある。発振回路部１３は、整流回路部１２からの電力供給を受けて発振し、１次側コイル１５には、発振回路部１３により高周波の交流電流が供給される。発振回路部１３は、例えば、トランジスタ、電界効果型トランジスタ等のスイッチング素子を有している。制御部１４は、発振回路部１３と相互接続してあり、該発振回路部１３の発振動作、換言するとスイッチング素子の開閉動作を制御して、発振回路部１３から１次側コイル１５に供給される電流を制御するように構成してある。
【００３９】
このように構成された電源部１には、発光部２が電気的に絶縁させて取付けてある。発光部２は、１次側コイル１５と電磁誘導結合する２次側コイル２１を備えている。２次側コイル２１は、発光部２が電源部１に取付けられた状態において、該電源部１に設けられた１次側コイル１５に近接配置されている。１次側コイル１５及び２次側コイル２１により、１次側の交流電圧が、１次側コイル１５及び２次側コイル２１の巻き線数比に応じた交流電圧に変換される。２次側コイル２１には、整流回路部２２の一端が接続してある。整流回路部２２は、２次側コイル２１に生じる誘起交流を整流して定電圧化する。
【００４０】
整流回路部２２の他端には、光源制御部２３が接続してあり、光源制御部２３には、整流回路部２２により整流され、平滑化された定電圧の電力が供給される。光源制御部２３には、光源２４が接続してある。光源制御部２３は、整流回路部２２からの電力供給を受けて光源２４に供給する電流の定電流制御を行うように構成してある。光源２４は、例えば、発光色の異なる複数のＬＥＤからなる。これら複数のＬＥＤは、例えば、ＬＥＤ素子と、該ＬＥＤ素子を封止し、蛍光体が分散された封止樹脂と、入力端子及び出力端子とを備えてなる表面実装型ＬＥＤである。このように構成された発光部２は、２次側コイル２１、整流回路部２２、光源制御部２３及び光源２４をその内部に収容する電気的絶縁材料製の筐体を備えている。これにより、発光部２の内部回路を完全に封止することができる。
【００４１】
以上のように構成された実施の形態１に係る照明装置１００において、商用電源が投入されると整流回路部１２において交流を直流に整流して発振回路部１３への電力供給が行われると共に、制御部１４に対しても制御動作用の電力が供給される。制御部１４は発振回路部１３における発振動作を制御し、発振回路部１３から１次側コイル１５に対して供給する電流を制御する。この１次側コイル１５に流れる電流の変動により、電源部１に設けられた１次側コイル１５と電磁誘導結合している発光部２に設けられた２次側コイル２１において誘起交流電流が発生する。即ち、無接点電磁誘導により電源部１から発光部２に給電がなされる。そして、２次側コイル２１で発生した誘起交流電流は整流回路部２２において直流化され、光源制御部２３による定電流の電力供給によって光源２４が所定の発光強度にて点灯する。この結果、所定の相関色温度及び／又は照度の光が照明光として照明装置１００から出射されることになる。
【００４２】
電源部１に設けた１次側コイル１５と、発光部２に設けた２次側コイル２１との間の電磁誘導により電源部１から発光部２へ無接点にて給電可能なように構成してあるから、例えば、水滴が付着した場合にも感電又は漏電に対する安全性を向上することが可能となる。また、発光部２を電源部１に電気的に絶縁させて取付けてあるから、例えば発光部２が破損した場合、水滴が付着した場合にも商用電源の電圧下での感電又は漏電を防止することができ、安全性を向上することができる。光源２４及び２次側コイル２１等の発光部２の内部回路を電気的絶縁材料製の筐体の内部に収容するように発光部２を構成しているから、発光部２の内部回路を完全に封止することができ、水滴が付着した場合に、感電又は漏電を防止することができ、安全性を高めることができる。
【００４３】
（実施の形態２）
図２は、本発明の実施の形態２に係る照明装置２００の概略構成を示すブロック図である。発光部２ａには、光源制御部２３に接続され、発光部２ａの電源部１ａへの取付状態を示す信号を電源部１ａに送信する送信部としての絶縁送信インターフェース部２６が設けてある。発光部２ａの電源部１ａへの取付状態は、発光部２ａの２次側コイル２１及び光源２４間の電力供給ラインに流れる電流を検出することにより判定される。
【００４４】
一方、電源部１ａには、絶縁送信インターフェース部２６からの信号を受信する受信部としての絶縁受信インターフェース部１６が設けてある。絶縁受信インターフェース部１６には、絶縁送信インターフェース部２６から発光部２ａの電源部１ａへの取付状態を示す信号が与えられる。絶縁送信インターフェース部１６は、制御部１４に接続してあり、受信した信号を該制御部１４に与える。制御部１４は、受信した信号に基づき発振回路部１３の発振動作を制御するように構成してある。
【００４５】
絶縁送信インターフェース部２６は、発光ダイオードであり、絶縁受信インターフェース部１６は、発光ダイオードからの光を受光して信号を出力するフォトトランジスタである。絶縁送信インターフェース部２６は、例えば、光源２４への出力の有／無に応じて点灯／消灯させるように構成してある。この場合、絶縁受信インターフェース部１６は、光源２４への出力の有／無に応じたオン／オフ信号を制御部１４に与える。制御部１４は、絶縁受信インターフェース部１６からのオン／オフ信号に応じて、発光部２ａが取付け／取外し状態にあると判定する。その他の構成は、図１に示す実施の形態１と同様であるため、対応する構成部材に図１と同一の参照符号を付して、その構成の詳細な説明を省略する。
【００４６】
以上のように構成された実施の形態２に係る照明装置２００において、商用電源が投入された状態にて、発光部２ａが電源部１ａに取付けてある場合、実施の形態１と同様に、発光部２ａに設けられた２次側コイル２１において誘起電流が発生する。２次側コイル２１において発生した交流誘起電流は整流回路部２２により直流化され、光源制御部２３に供給され、該光源制御部２３により定電流の電力が光源２４に供給される。前述したように、この光源２４への出力を検出することにより、発光部２ａの電源部１ａへの取付状態が判定される。
【００４７】
制御部１４は、発光部２ａが取付けてあると判定した場合には、発振回路部１３の発振制御を行う。この結果、１次側コイル１５及び２次側コイル２１間の電磁誘導により電源部１から発光部２に給電がなされる。一方、制御部１４は、発光部２ａが取外してあると判定した場合には、発振回路部１３の発振動作を間欠的に行わせるように発振回路部１３を制御する。この結果、発光部２ａが取外してある時の電源部１ａの消費電力を低減することが可能となる。また、発振回路部１３を間欠発振させている状態において、発光部２ａが電源部１ａに取付けられたとき、間欠的であるが発振回路部１３が発振動作を行っているから、制御部１４は与えられた取付状態を示す信号から発光部２ａが取付けられていると判定することができ、通常の点灯状態に自動的に復帰することができる。
【００４８】
発光部２ａの電源部１ａへの取付状態を示す信号を発光部２ａから電源部１ａへ伝達する送信部である絶縁送信インターフェース部２６に発光ダイオードを、受信部である絶縁受信インターフェース部１６にフォトトランジスタを用いている。この結果、送信部と受信部とを電気的に絶縁することができ、感電又は漏電に対する安全性をさらに向上することができると共に、シンプルな構成により、発光部２ａの取付け／取外しに応じた信号を制御部１４に与えることが可能となる。
【００４９】
なお、本実施の形態において、発光部２ａが取外してある場合、発振回路部１３の発振動作を間欠的に行わせるように構成してあるが、発振回路部１３の発振動作を停止するように構成してもよい。この場合、電源部１ａの消費電力をさらに低減することができる。なお、発振回路部１３の発振動作を停止する場合、例えば、照明装置２００の電源スイッチの再投入により制御部１４の発光部２ａの取付状態を示すデータをリセットして発振回路部１３の発振動作を行わせるように構成すればよい。
【００５０】
また、本実施の形態においては、発光部２ａの取付け／取外しに応じて、発振回路部１３の発振動作を制御するように構成してあるが、これに限定されない。例えば、発光部２ａが電源部１ａから外れかけている場合、即ち１次側コイル１５と２次側コイル２１との対向間の間隔が所定値以上となった場合に、発振回路部１３の発振動作を停止する、又は間欠的に行わせるように構成してもよい。
【００５１】
（実施の形態３）
図３は、本発明の実施の形態３に係る照明装置３００の概略構成を示すブロック図である。電源部１ｂには、制御部１４に接続され、発光部２ｂの電源部１ｂへの取付状態に応じて警告を発する手段である表示部１７が設けてある。表示部１７は、例えば、液晶画面を有してなり、該液晶画面上にメッセージ又はアイコンを表示することにより使用者に警告内容を認知させることが可能なように構成してある。又は表示部１７は、ＬＥＤ等の光源を有してなり、警告内容に応じて光源を点灯させるように構成してある。
【００５２】
制御部１４は、絶縁受信インターフェース部１６により与えられた発光部２ｂの電源部１ｂへの取付状態を示す信号に基づいて、表示部１７に制御指令を発して警告を表示するように構成してある。例えば、発光部２ｂが取外してある場合、制御部１４には、絶縁受信インターフェース部１６によりオフ信号が与えられ、制御部１４は、オフ信号により発光部２ｂが取外してあると判定し、表示部１７に対応した警告を表示させるようにしてある。その他の構成は、図２に示す実施の形態２と同様であるため、対応する構成部材に図２と同一の参照符号を付して、その構成の詳細な説明を省略する。
【００５３】
以上のように構成された実施の形態３に係る照明装置３００においては、発光部２ｂの電源部１ｂへの取付状態に応じて表示部１７により警告を発するように構成してあるから、発光部２ｂが完全に取外してある、又は電源部１ｂから外れかけている場合に、使用者に警告を発するように構成することにより、使用者の利便に資すると共に、電源部１ｂの消費電力を低減することが可能となる。
【００５４】
なお、本実施の形態においては、電源部１ｂに表示部１７を設けて、発光部２ｂの電源部１ｂへの取付状態に応じた警告を表示部１７に表示するように構成してあるが、これに限定されない。例えば、図２に示す実施の形態２と同一構成において、発光部２ｂの電源部１ｂへの取付状態に応じて、光源２４を構成する所定の色（例えば赤色）の光を発するＬＥＤを点灯させるように構成してもよい。この場合、例えば、整流回路部２２から光源制御部２３に出力される電力の電流値が通常点灯時の電流値の半分以下になったときに、光源制御部２３により光源２４の一部である赤色ＬＥＤを発光させるように構成する。また、電源部１ｂに警告音を発する手段を設け、発光部２ｂの電源部１ｂへの取付状態に応じて、警告音を発するように構成してもよい。
【００５５】
（実施の形態４）
図４は、本発明の実施の形態４に係る照明装置４００の概略構成を示すブロック図である。電源部１ｃには、外部コントローラ（図示せず）からの調光信号を受信する信号受信部１８が設けてある。外部コントローラは、例えば、照明装置４００の照明光の照度及び／又は相関色温度の設定を受け付けることが可能に構成された赤外線リモートコントローラである。なお、外部コントローラにより与えられる調光信号は、１ｋＨｚ程度のＰＷＭ信号であり、調光レベル（照度及び／又は相関色温度）に応じてディーティ比を変化させてある信号である。
【００５６】
信号受信部１８には、調光信号送信部としての絶縁送信インターフェース部１９が接続してあり、信号受信部１８は、受信した調光信号を絶縁送信インターフェース部１９に与える。絶縁送信インターフェース部１９は、与えられた調光信号を発光部２ｃに送信する。
【００５７】
発光部２ｃには、絶縁送信インターフェース部１９からの調光信号を受信する調光信号受信部としての絶縁受信インターフェース部２９が設けてある。絶縁受信インターフェース部２９は、光源制御部２３に接続してあり、光源制御部２３に受信した調光信号を与える。光源制御部２３は、与えられた調光信号のディーティ比に基づき、光源２４に供給する電流値を制御して、光源２４の発光強度を制御するように構成してある。光源２４は、供給された電流により所定の発光強度にて点灯し、この結果、所望の照度及び／又は相関色温度の光が照明光として照明装置４００から出射されることになる。光源２４としてＬＥＤを用いているから、発光強度を変更することにより、照度及び／又は相関色温度を変更する調光制御をきめ細かく行うことができる。なお、絶縁送信インターフェース部１９は、発光ダイオードであり、絶縁受信インターフェース部２９は、発光ダイオードからの光を受光して信号を出力するフォトトランジスタである。その他の構成は、図２に示す実施の形態２と同様であるため、対応する構成部材に図２と同一の参照符号を付して、その構成の詳細な説明を省略する。
【００５８】
以上のように構成された実施の形態４に係る照明装置４００においては、外部コントローラからの調光信号を絶縁送信インターフェース部１９及び絶縁受信インターフェース部２９を用いて電源部１ｃから発光部２ｃに伝達して、伝達された調光信号に応じて光源２４の発光強度を制御するように構成してある。この構成により、調光制御にも対応する感電又は漏電に対する安全性の高い照明装置を提供することが可能となる。また、絶縁送信インターフェース部１９と絶縁受信インターフェース部２９とを電気的に絶縁してあるから、感電又は漏電に対する安全性をさらに向上することができる。また、受信した調光信号に応じた電流値の電流を光源２４に供給することにより光源２４の発光強度を制御するように構成してあるから、連続的に電流値を変化させてきめ細かく発光強度を変更することができる。
【００５９】
なお、本実施の形態に係る照明装置４００においては、光源２４の発光強度を制御すべく、光源２４に供給する電流の値を調光信号のディーティ比に応じて変化させるように構成してあるが、これに限定されず、調光信号に応じて決定したパルス状の電流を光源２４に供給（パルス給電）するように構成してもよい。
【００６０】
光源２４にパルス給電することにより光源２４の発光強度を制御する場合、光源制御部２３は、光源２４に対する給電／遮断を行う電界効果型トランジスタ等のスイッチング素子を有する駆動回路部を備え、調光信号のディーティ比に応じてスイッチング素子を開閉動作させるように構成してある。このように受信した調光信号に応じたパルス状の電流を光源２４に供給することにより光源２４の発光強度を制御するように構成することにより、光源２４を構成する同一色のＬＥＤの光色を一定に保ちつつ発光強度を変化させることができる。なお、光源２４へのパルス給電周波数は、使用者がチラツキを感じない周波数以上になるように、また異音により使用者に不快感を与えることを防止すべく人の可聴周波数の範囲外になるように、適切に設定してある。光源２４へのパルス給電周波数は２０ｋＨｚ以上であることが望ましい。
【００６１】
実施の形態４に係る照明装置４００の構成を適用した装置構成例として、天井等の取付部材に設けられ、直下を照明するＬＥＤダウンライトを例に説明する。図５はＬＥＤダウンライト５００の模式的縦断面図である。図６はＬＥＤダウンライト５００の模式的分解斜視図である。
【００６２】
ＬＥＤダウンライト５００は、図に示すように、電源部１ｄと発光部２ｄとを備えている。電源部１ｄは、ノイズフィルタ回路部１１、整流回路部１２、発振回路部１３及び制御部１４等の回路部品が実装された回路基板１０と、該回路基板１０の一面側に設けられた１次側コイル１５、絶縁受信インターフェース部１６及び絶縁送信インターフェース部１９と、これらを内部に収容し、天井等の取付部材にＬＥＤダウンライト５００を保持する保持体３とを備えている。
【００６３】
保持体３は、円板部３ａと、該円板部３ａの周縁に立設された円筒部３ｂとを有している。保持体３の円筒部３ｂの中途には、円板部３ａに対向し、保持体３内部の空間を閉止する閉止板部３ｃが設けてある。閉止板部３ｃには、適長離隔して貫通孔が設けてあり、該貫通孔には透光板３３，３３が取付けてある。円筒部３ｂの開口側の内面には、雌ネジ部３ｄが適長に亘って形成してある。なお、保持体３の閉止板部３ｃ及び透光板３３，３３は、電気的絶縁材料製であり、例えば樹脂製である。
【００６４】
保持体３の閉止板部３ｃにより閉止される空洞内には、回路基板１０、１次側コイル１５、絶縁受信インターフェース部１６及び絶縁送信インターフェース部１９が収容してある。これら電源部１ｄの内部部品は、１次側コイル１５が閉止板部３ｃに近接するように、保持体３の円筒部３ｂの内面に設けられた係合部３ｅに回路基板１０を係合させて保持体３の内部に保持してある。なお、絶縁受信インターフェース部１６及び絶縁送信インターフェース部１９は、互いに離隔し、閉止板部３ｃに取付けた透光板３３，３３に近接するように回路基板１０に設けてある。
【００６５】
電源部１ｄの円板部３ａの外面には、商用電源等の交流電源に接続される端子台３１が設けてある。端子台３１及び回路基板１０は、給電コネクタ３２を介して接続してあり、端子台３１から回路基板１０に電力が供給される。保持体３の円筒部３ｂの外面には複数の板ばね６が取付けてある。
【００６６】
一方、発光部２ｄは、整流回路部２２及び光源制御部２３等の回路部品が実装された回路基板２０と、該回路基板２０の一面側に設けられた２次側コイル２１、絶縁送信インターフェース部２６及び絶縁受信インターフェース部２９と、光源２４と、これらを内部に収容する収容体４とを備えている。
【００６７】
収容体４は、円板部４ａ及び該円板部４ａの周縁に立設された円筒部４ｂを有している。収容体４の円筒部４ｂの外面には、雄ネジ部４ｃが適長に亘って形成してある。収容体４の円板部４ａには、電源部１ｄに発光部２ｄを取付けたときに、透光板３３，３３に整合するように適長離隔して貫通孔が設けてあり、該貫通孔には透光板４２，４２が取付けてある。なお、収容体４及び透光板４２，４２は、電気的絶縁材料製であり、例えば樹脂製である。
【００６８】
収容体４の内部には、回路基板２０、２次側コイル２１、絶縁送信インターフェース部２６、絶縁受信インターフェース部２９及び光源２４が収容してある。回路基板２０、２次側コイル２１、絶縁送信インターフェース部２６、絶縁受信インターフェース部２９は、２次側コイル２１が円板部４ａに近接するように、収容体４の円筒部４ｂの内面に設けられた係合部４ｄに回路基板２０を係合させて収容体４の内部に保持してある。なお、絶縁送信インターフェース部２６及び絶縁受信インターフェース部２９は、円板部４ａに取付けた透光板４２，４２に近接するように回路基板２０に設けてある。
【００６９】
光源２４は、略円板状をなすＬＥＤ基板に、複数のＬＥＤを実装してなる。光源２４は、収容体４の円筒部４ｂの内面に設けられた係合部４ｅにＬＥＤ基板を係合させて収容体４の内部に保持してある。なお、ＬＥＤ基板及び回路基板２０は、ハーネス４１により接続してある。
【００７０】
収容体４の円筒部４ｂの開口端には、円板状の透光板５が、光源２４の出射側を覆うように、円筒部４ｂの開口端に設けられた固定部４ｆに取付けてある。透光板５は、電気的絶縁材料製であり、例えばポリカーボネート樹脂製である。電気的絶縁材料製である収容体４及び透光板５により光源２４及び２次側コイル２１等の部品を内部に収容する筐体を構成している。なお、該筐体は、内部を封止するように構成されることがより望ましい。
【００７１】
以上のように構成された発光部２ｄは、収容体４に設けられた雄ネジ部４ｃを保持体３に設けられた雌ネジ部３ｄに螺合することにより、電源部１ｄに取付けてある。このように一体化されたＬＥＤダウンライト５００は、天井等の取付部材１０１に設置される。なお、ＬＥＤダウンライト５００は、発光部２ｄが電源部１ｄに取付けられた状態において、２次側コイル２１と１次側コイル１５とが近接して対向するように構成してある。
【００７２】
実施の形態４に係る照明装置４００の構成を適用した他の装置構成例として、既存の白熱電球の代替として用いられるＬＥＤ電球を例に説明する。図７はＬＥＤ電球６００の模式的縦断面図である。図８はＬＥＤ電球６００の模式的分解斜視図である。
【００７３】
ＬＥＤ電球６００は、図に示すように、電源部１ｅと発光部２ｅとを備えている。電源部１ｅは、ノイズフィルタ回路部１１、整流回路部１２、発振回路部１３及び制御部１４等の回路部品が実装された回路基板１０と、該回路基板１０の一面側に設けられた１次側コイル１５、絶縁受信インターフェース部１６及び絶縁送信インターフェース部１９と、これらを内部に収容し、ＬＥＤ電球６００を白熱電球用のソケットに口金７１を介して取付ける取付体７とを備えている。
【００７４】
取付体７は、円板部７ａと、該円板部７ａの周縁に立設された円筒部７ｂと、口金７１を保持する口金保持部７ｃとを有している。取付体７の円筒部７ｂの外面には、雄ネジ部７ｄが適長に亘って形成してある。収容体７の円板部７ａには、適長離隔して貫通孔が設けてあり、該貫通孔には透光板７３，７３が取付けてある。なお、取付体７の円板部７ａ及び透光板７３，７３は、電気的絶縁材料製であり、例えば樹脂製である。
【００７５】
取付体７の口金保持部７ｃには、口金７１が取付けてある。口金７１は、電球用のソケットと螺合するための螺子加工が円筒部に施されてなる一極端子７１ａと、口金７１の底面に突設された他極端子７１ｂとを備えている。これら一極端子７１ａと他極端子７１ｂとは絶縁してある。なお、口金７１の円筒部の外形状は、例えばＥ１７又はＥ２６のねじ込み形口金と同一形状に形成してある。
【００７６】
取付体７と口金７１により形成される閉空間内には、回路基板１０、１次側コイル１５、絶縁受信インターフェース部１６及び絶縁送信インターフェース部１９が収容してある。これら電源部１ｅの内部部品は、１次側コイル１５が円板部７ａに近接するように、取付体７の円筒部７ｂの内面に設けられた係合部７ｅに回路基板１０を係合させて取付体７の内部に保持してある。なお、絶縁受信インターフェース部１６及び絶縁送信インターフェース部１９は互いに離隔し、円板部７ａに取付けた透光板７３，７３に近接するように回路基板１０に設けてある。この回路基板１０には、口金７１の一極端子７１ａ及び他極端子７１ｂが給電コネクタ７２を介して電気的に接続してある。
【００７７】
一方、発光部２ｅは、整流回路部２２及び光源制御部２３等の回路部品が実装された回路基板２０と、該回路基板２０の一面側に設けられた２次側コイル２１、絶縁送信インターフェース部２６及び絶縁受信インターフェース部２９と、光源２４と、これらを内部に収容する収容体８とを備えている。
【００７８】
収容体８は、円筒部８ａと、円筒部８ａの中途に該円筒部８ａの軸心に直交するように設けられ、円筒部８ａを２つの空間に区画する円板部８ｂとを有している。円板部８ｂには、適長離隔して貫通孔が設けてあり、該貫通孔には透光板８２，８２が取付けてある。円筒部８ａの一側の内面には、雌ネジ部８ｃが適長に亘って形成してある。なお、収容体８及び透光板８２，８２は、電気的絶縁材料製であり、例えば樹脂製である。
【００７９】
収容体８の内部には、回路基板２０、２次側コイル２１、絶縁送信インターフェース部２６、絶縁受信インターフェース部２９及び光源２４が収容してある。回路基板２０、２次側コイル２１、絶縁送信インターフェース部２６、絶縁受信インターフェース部２９は、２次側コイル２１が円板部８ｂに近接するように、収容体８の円筒部８ａの内面に設けられた係合部８ｄに回路基板２０を係合させて収容体８の内部に保持してある。なお、絶縁送信インターフェース部２６及び絶縁受信インターフェース部２９は、円板部８ｂに取付けた透光板８２，８２に近接するように回路基板２０に設けてある。
【００８０】
光源２４は、略円板状をなすＬＥＤ基板に、複数のＬＥＤを実装してなる。光源２４は、収容体８の円筒部８ａの内面に設けられた係合部８ｅにＬＥＤ基板を係合させて収容体８の内部に保持してある。なお、ＬＥＤ基板及び回路基板２０は、ハーネス８１により接続してある。
【００８１】
収容体８の円筒部８ａの他側の開口端には、円板状の透光板５が、光源２４の出射側を覆うように、円筒部８ａの開口端に設けられた固定部８ｆに取付けてある。透光板５は、電気的絶縁材料製であり、例えばポリカーボネート樹脂製である。電気的絶縁材料製である収容体８及び透光板５により光源２４及び２次側コイル２１等の部品を内部に収容する筐体を構成している。なお、該筐体は、内部を封止するように構成されることがより望ましい。
【００８２】
以上のように構成された発光部２ｅは、収容体８に設けられた雌ネジ部８ｃに取付体７に設けられた雄ネジ部７ｄを螺合することにより、電源部１ｅに取付けてある。このように一体化されたＬＥＤ電球６００は、白熱電球用のソケットに取付けられる。なお、ＬＥＤ電球６００は、発光部２ｅが電源部１ｅに取付けられた状態において、２次側コイル２１と１次側コイル１５とが近接して対向するように構成してある。
【００８３】
図５乃至図８に示す機器構成例に示すように、発光部及び電源部間の絶縁インターフェースとして用いている発光ダイオード及びフォトトランジスタを適長離隔して配置しているから、誤動作を回避して安定した動作する照明装置を提供することが可能となる。
【００８４】
なお、図５乃至図８に示す機器構成例においては、実施の形態４に係る照明装置４００の機器構成例を示したが、実施の形態１から３に係る照明装置についても同様に構成することができる。
【００８５】
なお、以上の実施の形態に示す図１乃至図４のブロック図は、一例であって、これらに限定されない。例えば、整流回路部を備えていなくてもよい。また、外部電源として、商用電源に接続する場合を例に説明したが、これに限定されず、交流電源であればよい。
【００８６】
また、以上の実施の形態においては、光源としてＬＥＤを用いているが、これに限定されず、有機ＥＬ（Ｅｌｅｃｔｒｏ−Ｌｕｍｉｎｅｓｃｅｎｃｅ）等を用いてもよい。
【００８７】
また、以上の実施の形態においては、機器構成例として、電球及びダウンライトについて述べたが、このような照明装置に限定されず、スポットライト等、種々の照明装置に適用可能であり、その他、特許請求の範囲に記載した事項の範囲内において種々変更した形態にて実施することが可能であることは言うまでもない。
【符号の説明】
【００８８】
１，１ａ，１ｂ，１ｃ，１ｄ，１ｅ  電源部
１３  発振回路部
１４  制御部
１５  １次側コイル
１６  絶縁受信インターフェース部（受信部）
１７  表示部（警告を発する手段）
１９  絶縁送信インターフェース部（調光信号送信部）
２，２ａ，２ｂ，２ｃ，２ｄ，２ｅ  発光部
２１  ２次側コイル
２３  光源制御部
２４  光源
２６  絶縁送信インターフェース部（送信部）
２９  絶縁受信インターフェース部（調光信号受信部）
４，８  収容体（筐体）
５  透光板（筐体）
【図１】
2010182499.tif 000003
【図２】
2010182499.tif 000004
【図３】
2010182499.tif 000005
【図４】
2010182499.tif 000006
【図５】
2010182499.tif 000007
【図６】
2010182499.tif 000008
【図７】
2010182499.tif 000009
【図８】
2010182499.tif 000010